(57)【要約】【課題】例えば、高さを自由に変更することのできる棚、机、椅子、ハンガー掛け等を簡単に作ることのできる物品支持金具を提供すること。【解決手段】壁に取付けたレール部材１２には長手方向に複数の係止孔１６が形成されている。支持部材１４の挿入部１８をレール部材１２に挿入し、挿入部１８のラッチ爪３２を係止穴１６に挿入すると、ラッチ爪３２の側面３２Ｂが係止孔１６の孔壁面１６Ａに当接し、かつストッパ４０の一側面４０Ａが底部１２Ｂに当接することで、支持部材１４の回転を阻止し、支持部材１４を水平に保てる。この支持部材１４に棚板を載せれば、棚が完成する。棚板を上方に移動させたい場合には、支持部材１４をそのまま上方に持ち上げれば良い。これにより、ラッチ爪３２は内部に押し込まれ、支持部材１４をレール部材１２から取り外すことなく上方へ容易に移動することが出来る。【選択図】        図２
2004298335.tif 000002
【特許請求の範囲】
【請求項１】
互いに対向する一対の壁面により形成された長尺状の溝、及び前記壁面の各々に前記溝の長手方向に沿って間隔を隔てて互いに対向するように形成された複数の係止孔を備えたレール部材と、
前記溝に挿入自在な挿入部、及び前記挿入部に形成され前記挿入部が前記溝に挿入された際に前記溝の外側へ突出可能な長さを有する支持部を備えた支持部材と、
前記挿入部に設けられた付勢手段と、
前記挿入部の外面から突出する第１方向及び前記挿入部の内部に埋設される第２方向に移動可能で、かつ前記付勢手段によって前記第１方向に常時付勢されるように前記挿入部に設けられ、前記挿入部を前記溝に挿入する際に前記溝の壁面によって前記付勢手段の付勢力に抗して前記第２方向に押圧されて前記挿入部の前記溝への挿入を可能とし、前記挿入部が前記溝に挿入されて前記レール部材に形成された互いに対向する一対の前記係止孔に対応した際に、前記付勢力によって前記第１方向に付勢されて前記係止孔に挿入され、前記係止孔に挿入された状態で前記挿入部を前記溝の長手方向に沿った所定方向に移動させる力が作用した際に前記溝の壁面によって前記付勢手段の付勢力に抗して前記第２方向に押圧されて前記支持部材の移動を可能とし、前記係止孔に挿入された状態で前記挿入部を前記所定方向と逆方向に移動させる力が作用した際に前記係止孔の壁面に当接されるロック爪と、
前記挿入部に設けられ、前記挿入部が前記溝に挿入された状態で前記挿入部を前記所定方向と逆方向に移動させる力が前記挿入部に作用した際に、前記溝の溝底に当接すると共に前記ロック爪の前記係止孔の壁面への当接と協働して前記支持部材が前記挿入部を中心として回転することを阻止するストッパ部と、
を有することを特徴とする物品支持金具。
【請求項２】
前記ロック爪を前記挿入部に対して相対回転可能に支持する回転支持手段を、有することを特徴とする請求項１に記載の物品支持金具。
【発明の詳細な説明】
【０００１】
【発明の属する技術分野】
本発明は、物品支持金具にかかり、例えば、高さを自由に変更することのできる棚、机、椅子、ハンガー掛け等を簡単に作ることのできる物品支持金具に関する。
【０００２】
【従来の技術】
従来、高さを変更可能な棚として、縦方向に複数の孔を形成したレール状部材を壁面に取り付け、この孔に支持部材のフック状部分を引っ掛け、支持部材の上に棚板を渡す構成の棚が種々提案されている（例えば、特許文献１参照。）。
【０００３】
【特許文献１】
特開平６−２３７８２６号公報
【０００４】
【発明が解決しようとする課題】
しかしながら、高さを変更可能な従来の棚では、支持部材の高さを変更する場合、棚板を取り外してから支持部材をレール状部材から一旦取り外さなければならず、操作に手間がかかっていた。
【０００５】
本発明は、上記問題を解決すべく成されたもので、例えば、棚等を構成することができ、棚を構成した場合、高さを簡単かつ自由に変更することのできる物品支持金具の提供を目的とする。
【０００６】
【課題を解決するための手段】
上記目的を達成するために請求項１に記載の物品支持金具は、
互いに対向する一対の壁面により形成された長尺状の溝、及び前記壁面の各々に前記溝の長手方向に沿って間隔を隔てて互いに対向するように形成された複数の係止孔を備えたレール部材と、前記溝に挿入自在な挿入部、及び前記挿入部に形成され前記挿入部が前記溝に挿入された際に前記溝の外側へ突出可能な長さを有する支持部を備えた支持部材と、前記挿入部に設けられた付勢手段と、前記挿入部の外面から突出する第１方向及び前記挿入部の内部に埋設される第２方向に移動可能で、かつ前記付勢手段によって前記第１方向に常時付勢されるように前記挿入部に設けられ、前記挿入部を前記溝に挿入する際に前記溝の壁面によって前記付勢手段の付勢力に抗して前記第２方向に押圧されて前記挿入部の前記溝への挿入を可能とし、前記挿入部が前記溝に挿入されて前記レール部材に形成された互いに対向する一対の前記係止孔に対応した際に、前記付勢力によって前記第１方向に付勢されて前記係止孔に挿入され、前記係止孔に挿入された状態で前記挿入部を前記溝の長手方向に沿った所定方向に移動させる力が作用した際に前記溝の壁面によって前記付勢手段の付勢力に抗して前記第２方向に押圧されて前記支持部材の移動を可能とし、前記係止孔に挿入された状態で前記挿入部を前記所定方向と逆方向に移動させる力が作用した際に前記係止孔の壁面に当接されるロック爪と、前記挿入部に設けられ、前記挿入部が前記溝に挿入された状態で前記挿入部を前記所定方向と逆方向に移動させる力が前記挿入部に作用した際に、前記溝の溝底に当接すると共に前記ロック爪の前記係止孔の壁面への当接と協働して前記支持部材が前記挿入部を中心として回転することを阻止するストッパ部と、を有することを特徴としている。
【０００７】
次に、請求項１に記載の物品支持金具の作用を説明する。
【０００８】
レール部材は、例えば、長手方向を上下方向として、例えば、壁面等に取り付ける。なお、レール部材は、一端を床面に、他端を天井に取り付けても良い。
【０００９】
支持部材をレール部材に取り付ける場合には、レール部材の溝に支持部材の挿入部を挿入する。挿入部を溝に挿入する際、ロック爪は溝の壁面によって付勢手段の付勢力に抗して第２方向に押圧されるので、挿入部を容易に溝へ挿入することができる。
【００１０】
挿入部を溝内に挿入した後、ロック爪をレール部材の係止孔に対向させる。
【００１１】
ロック爪が互いに対向する一対の係止孔に対応すると、付勢手段で付勢されたロック爪は第１方向に移動して挿入部材の外面よりも突出し、係止孔に挿入される。
【００１２】
ここで、ロック爪は、係止孔に挿入された状態で挿入部を溝の長手方向に沿った所定方向、に移動させる力が作用した際に溝の壁面によって付勢手段の付勢力に抗して第２方向に押圧されて支持部材の移動を可能とする。
【００１３】
即ち、所定方向を上方向とすれば、挿入部材を溝に挿入した状態で支持部材を上方に移動することができ、任意の係止孔にロック爪を挿入させることで、任意の高さに支持部材を配置することができる。
【００１４】
ロック爪が係止孔に挿入された状態では、レール部材の溝から突出した支持部に、物品を載せたり、吊り下げる等することができる。
【００１５】
ロック爪が係止孔に挿入された状態で挿入部を所定方向と逆方向、即ち、下方に移動させる力が作用すると、ロック爪は係止孔の壁面に当接され、さらに、ストッパ部が溝の溝底に当接すると共にロック爪の係止孔の壁面への当接と協働して支持部材が挿入部を中心として回転することを阻止する。したがって、支持部に物品を載せたり、吊り下げる等した場合であっても、支持部材を、例えば水平に保持することができる。
【００１６】
なお、支持部材は、例えば、係止孔から見えるロック爪を指等で押し込み、ロック爪を係止孔と対向させないようにしながら溝の開口部へ向けて移動したり、溝の長手方向端部まで移動することでレール部材から外すことができる。
【００１７】
なお、この物品支持金具を２つ用い、一方の物品支持部と他方の物品支持部とに板を掛け渡せば、高さ調整を自由に行える棚、机、椅子等として使用することができる。また、一方の物品支持部と他方の物品支持部とに棒を掛け渡せば、ハンガー掛けとしても使用することができる。
【００１８】
請求項２に記載の発明は、請求項１に記載の物品支持金具において、前記ロック爪を前記挿入部に対して相対回転可能に支持する回転支持手段を、有することを特徴としている。
【００１９】
次に、請求項２に記載の物品支持金具の作用を説明する。
【００２０】
請求項２に記載の物品支持金具では、回転支持手段が、ロック爪を挿入部に対して相対回転可能に支持している。
【００２１】
したがって、ロック爪を係止孔に挿入した状態で、挿入部を回転中心として物品支持金具を回転させることができ、物品支持金具をレール部材の溝内に収納することができる。
【００２２】
【発明の実施の形態】
以下、図面を参照して本発明の実施の形態の一例を詳細に説明する。
【００２３】
図１に示すように、本実施形態の物品支持金具１０は、レール部材１２と、支持部材１４とから構成されている。
（レール部材の詳細）
レール部材１２は、端面から見た形状がコ字状とされた鋼製のチャンネル部材から構成されており、互いに対向する一対の横壁部１２Ａには、長手方向に沿って一定の間隔で係止孔１６が形成されている。
【００２４】
なお、本実施形態では、レール部材１２の一対の横壁部１２Ａを連結している部分を便宜上底部１２Ｂと呼ぶことにする。
【００２５】
図２に示すように、係止孔１６は長方形をしており、係止孔１６の長手方向は、レール部材１２の長手方向に対して傾斜している。
【００２６】
なお、一方の横壁部１２Ａの係止孔１６と他方の横壁部１２Ａの係止孔１６とは、互いに対向している。
（支持部材の詳細）
図１，２に示すように、支持部材１４は、レール部材１２の一対の壁面間に挿入され挿入部１８と、物品を支持する長尺状の支持部２０を備えている。
【００２７】
図３，４に示すように、挿入部１８は、鋼等の金属からなる円筒状の本体２２を備えており、本体２２には、同じく鋼等の金属からなる円筒状の回転部材２４が回転自在に挿入されている。
【００２８】
回転部材２４の両端部には、本体２２の同一径とされた円形の押さえ蓋２６が、ビス２８で固定されている。この押さえ蓋２６も鋼当の金属から形成されている。
【００２９】
押さえ蓋２６の中央には、長方形のラッチ孔３０が形成されている。
【００３０】
回転部材２４の内部には、ラッチ爪３２を取付けたラッチ台座３４が一対設けられている。
【００３１】
ラッチ台座３４は、金属、例えば、鋼鈑、又は鋼棒等から形成され、回転部材２４の内径よりも若干小径とされた円形を呈している。
【００３２】
ラッチ爪３２は、鋼等の金属で形成され、ラッチ台座３４の中央にビス３６で固定されている。
【００３３】
図２に示すように、ラッチ爪３２は、ラッチ台座３４を平面視したときの形状が長方形であり、図３に示すように、ラッチ台座３４とは反対面がラッチ台座３４に対して傾斜する傾斜面３２Ａとされている。
【００３４】
なお、本実施態の傾斜面３２Ａは、外側に凸となる円弧形状であり、ラッチ爪３２の長手方向と直交方向に傾斜している。
【００３５】
ラッチ爪３２は、ラッチ台座３４の外面側（ラッチ孔３０側）に取り付けられており、ラッチ孔３０からは少なくとも傾斜面３２Ａが外側に突出可能となっている。
【００３６】
回転部材２４の中には、圧縮コイルスプリング３８が挿入されている。圧縮コイルスプリング３８は、ラッチ台座３４を回転部材２４の軸方向外側へ付勢している。
【００３７】
したがって、通常は、図３（Ａ）に示すように、ラッチ台座３４が押さえ蓋２６に押圧され、ラッチ爪３２の傾斜面３２Ａが押さえ蓋２６の外側に突出している。
【００３８】
ここで、ラッチ爪３２が外部より押されると、図３（Ｂ）に示すように、ラッチ爪３２はラッチ孔３０の内方へ押し込まれ、圧縮コイルスプリング３８が圧縮される。
【００３９】
支持部材１４は、鋼等の金属のパイプから形成されており、一端部分が挿入部１８の外周面に溶接等で固定されている。なお、支持部材１４の他端部には、蓋部材４２が溶接等で一体的に固定されている。
【００４０】
図２，４に示すように、本体２２の外周面には、鋼等の金属で形成された略三角形を呈したストッパ４０が溶接等で固定されている。
（作用）
次に、本実施形態の物品支持金具１０の使用方法を説明する。
【００４１】
図５には、物品支持金具１０を用いた棚４４が示されている。
【００４２】
この棚４４では、一対のレール部材１２が互いに平行に、かつ鉛直方向に、例えば、建造物の壁４６に螺子止めされている（螺子は図示せず）。
【００４３】
レール部材１２は、図２に示すように、係止孔１６が壁４６から離れるにしたがって上がりとなる様に壁４６に取り付ける。
【００４４】
次に、支持部材１４を持ち、ラッチ爪３２を回転させ、図１に示すように、ラッチ爪３２の傾斜面３２Ａを斜め上側に向けて、レール部材１２の一対の横壁部１２Ａの間に挿入部１８を挿入する。
【００４５】
傾斜面３２Ａに横壁部１２Ａが当接した状態で挿入部１８が一対の横壁部１２Ａの間に挿入されると、図３（Ｂ）に示すように、ラッチ爪３２が内部に押し込まれ、所望の係止孔１６にラッチ爪３２が対向すると、ラッチ爪３２が突出して係止孔１６に挿入される（図３（Ａ）参照）。
【００４６】
本実施形態の物品支持金具１０では、図２に示すようにラッチ爪３２が係止孔１６に挿入されると、支持部２０を水平に保持できる。
【００４７】
即ち、図２の状態では、支持部２０の側の荷重（自重）により、支持部材１４がラッチ爪３２付近を支点として矢印Ａ方向に回転しようとするが、ラッチ爪３２の側面３２Ｂが係止孔１６の孔壁面１６Ａに当接し、かつストッパ４０の一側面４０Ａが底部１２Ｂに当接することで、支持部材１４の回転を阻止している。
【００４８】
このようにレール部材１２に支持部材１４を取り付けた後、図５に示すように支持部２０の上にガラス等の棚板４８を載せれば、棚４４が完成する。
【００４９】
ここで、棚板４８を上方に移動させたい場合には、支持部材１４をそのまま上方に移動すれば良い。支持部材１４を上方に持ち上げると、ラッチ爪３２の傾斜面３２Ａが押圧されてラッチ爪３２が内部に押し込まれるので、支持部材１４をレール部材１２から外すことなく上方へ容易に移動することが出来る。その後は、必要高さの位置の係止孔１６にラッチ爪３２を係合させれば良い。
【００５０】
なお、ラッチ爪３２を指等で強制的に押し込めば、支持部材１４を下方に移動することが出来る。
【００５１】
また、レール部材１２に取り付けた支持部材１４は、例えば、係止孔１６から見えるラッチ爪３２を指等で押し込み、ラッチ爪３２を係止孔１６と対向させないようにしながら引き抜いたり、レール部材１２の長手方向端部まで移動することでレール部材１２から取り外すことができる。
【００５２】
また、本実施形態の支持部材１４は、挿入部１８に対して支持部２０を回転させることができるので、棚板４８を取り外した後、図６に示すように、支持部２０をレール部材１２の一対の横壁部１２Ａの間に収納することも出来る。
【００５３】
なお、本実施形態では、物品支持金具１０を用いて棚４４を作る例を説明したが、大きな板材を載せて机として使用することもでき、座板を載せて椅子として使用することもできる。
【００５４】
また、支持部２０に棚板４８等を載せて使用しなくても良く、支持部２０にハンガー等を引っ掛けて使用しても良く、使用方法は特に本実施形態の例に限定されない。
【００５５】
なお、レール部材１２の取り付け方向は、鉛直方向に限らず、水平に取付けても良い。
【００５６】
例えば、レール部材１２をおおよそ腰の高さに、壁に対して水平に取り付け、水平に取付けたレール部材１２に、支持部材１４の挿入部１８を挿入し、手で把持しながら支持部材１４をレール部材１２に沿ってスライドさせて使用することができ、例えば、足の不自由な人が歩行する際の杖の代わりにも使用できる。
【００５７】
【発明の効果】
以上説明したように本発明の物品支持金具によれば、支持部材をレール部材に容易に係合させ、レール部材の所望の位置に支持部材を容易に配置することができ、例えば、棚等を構成する場合、高さを簡単かつ自由に変更することができる、という優れた効果を有する。
【図面の簡単な説明】
【図１】物品支持金具の分解斜視図である。
【図２】物品支持金具の一部断面である。
【図３】（Ａ）は通常の支持部材の断面図であり、（Ｂ）はラッチ爪の押し込まれた状態を示す支持部材の断面図である。
【図４】支持部材の要部の拡大斜視図である。
【図５】物品支持金具を用いた棚の斜視図である。
【図６】支持部材を収容した状態を示す物品支持金具の一部断面図である。
【符号の説明】
１０    物品支持金具
１２    レール部材
１２Ａ  横壁部（壁面）
１４    支持部材
１６    係止孔
１８    挿入部
２０    支持部
２２    本体（回転支持手段）
２４    回転部材（回転支持手段）
２６    押さえ蓋（回転支持手段）
３２    ラッチ爪（ロック爪）
３８    圧縮コイルスプリング（付勢手段）
４０    ストッパ（ストッパ部）
【図１】
2004298335.tif 000003
【図２】
2004298335.tif 000004
【図３】
2004298335.tif 000005
【図４】
2004298335.tif 000006
【図５】
2004298335.tif 000007
【図６】
2004298335.tif 000008